【手続補正書】
【提出日】令和3年7月6日(2021.7.6)
【手続補正１】
【補正対象書類名】特許請求の範囲
【補正対象項目名】全文
【補正方法】変更
【補正の内容】
【特許請求の範囲】
【請求項１】
キャリアプライ（１０，１０’）と、
前記キャリアプライ（１０，１０’）に配置され、少なくとも１つの装飾エレメントを含む転写プライ（１３，１３’，１３’’）と、
を有する転写フィルム（１）であって、
前記キャリアプライ（１０，１０’）に隣接した前記転写プライ（１３，１３’，１３’’）は、少なくとも１つの上部層（１５）を有し、当該上部層は、少なくとも所定の領域において未だ完全に硬化しておらず、
前記少なくとも１つの装飾エレメントは、前記キャリアプライ（１０，１０’）の反対側となる前記少なくとも１つの上部層（１５）の側に配置され、
前記キャリアプライ（１０，１０’）は、ポリエステル、ポリオレフィン又はこれらの組み合わせ、特にＰＥＴからなる少なくとも１つのキャリア層（１１）である、ことを特徴とする転写フィルム（１）。
【請求項２】
少なくとも所定の領域において未だ完全に硬化していない前記少なくとも１つの上部層（１５）は、０．５μｍ〜１５μｍの層厚を有する、ことを特徴とする請求項１に記載の転写フィルム（１）。
【請求項３】
少なくとも所定の領域において未だ完全に硬化していない前記少なくとも１つの上部層（１５）は、ポリウレタン樹脂、ポリウレタン分散液、アクリル樹脂、メタクリル樹脂、フェノール樹脂、エポキシ樹脂、ポリ尿素、メラミン樹脂、アミノプラスト、ポリエステル樹脂、アルキド樹脂、ポリアミド樹脂、ビニルエステル樹脂及びこれらの混合物からなる群から選択される少なくとも１つのバインダを含むか又は当該少なくとも１つのバインダからなる、ことを特徴とする請求項１又は２に記載の転写フィルム（１）。
【請求項４】
少なくとも所定の領域において未だ完全に硬化していない前記少なくとも１つの上部層（１５）と、前記少なくとも１つの装飾エレメントとの間に第１の接着促進層（１７）が配置されおり、
前記第１の接着促進層（１７）は、好ましくは少なくとも１つのアクリル樹脂からなるか又は少なくとも１つのアクリル樹脂を含み、さらに好ましくは０．１μｍ〜１０μｍの層厚を有する、ことを特徴とする請求項１〜３のいずれかに記載の転写フィルム（１）。
【請求項５】
前記少なくとも１つの装飾エレメントは、各々の場合において、互いに独立して、ＵＶクロスリンクワニス又は熱可塑性可変層を含み、かつ各場合において互いに独立して、顔料化されていないか、無着色であるか、着色されているか又は染色された少なくとも１つの装飾層（１４）に配置される、ことを特徴とする請求項１〜４のいずれかに記載の転写フィルム（１）。
【請求項６】
少なくとも１つの装飾エレメントを含む少なくとも１つの装飾層（１４）は、特に一つ又は複数の染料及び／又は顔料を含む透明及び／又は着色されたワニス層、成形された光学活性表面構造を有する複製層、反射層、特に不透明な反射層、透明な反射層、金属反射層又は誘電反射層、光学可変層、光学活性層、干渉多層系、体積ホログラム層、液晶層、特にコレステリック液晶層、導電層、アンテナ層、電極層、磁気層、磁気記憶層、バリア層及びこれらの組み合わせからなる群から選択される、ことを特徴とする請求項１〜５のいずれかに記載の転写フィルム（１）。
【請求項７】
前記転写フィルム（１）は、０．１ｎｍ〜５０ｎｍの層厚を有する少なくとも１つの剥離層（１２）を有し、
前記少なくとも１つの剥離層（１２）は、前記キャリア層（１１）と前記少なくとも１つの上部層（１５）との間に配置され、好ましくは少なくとも１つのワックスを有するか又は少なくとも１つのワックスからなる、ことを特徴とする請求項１〜６のいずれかに記載の転写フィルム（１）。
【請求項８】
前記転写フィルム（１）は、０．５μｍ〜１０μｍの層厚を有する少なくとも１つのワニス層（１６）を有し、
前記少なくとも１つのワニス層（１６）は、前記キャリアプライ（１０，１０’）の反対側に面する前記転写プライ（１３，１３’，１３’’）の面に配置されており、
前記少なくとも１つのワニス層（１６）は、好ましくは物理的硬化型の接着剤、化学的硬化型の接着剤、粘着剤又はこれらの混合物からなる群から選択された少なくとも１つの接着剤を含むか又は当該接着剤からなる、ことを特徴とする請求項１〜７のいずれかに記載の転写フィルム（１）。
【請求項９】
前記キャリアプライ（１０，１０’）は、２ｃＮ〜５０ｃＮ、好ましくは５ｃＮ〜３５ｃＮの接着性を有して前記少なくとも１つの上部層（１５）に配置されている、ことを特徴とする請求項１〜８のいずれかに記載の転写フィルム（１）。
【請求項１０】
請求項１〜９のいずれかに記載の転写フィルム（１）を用いたフィルムコーティングされた物品（２）の製造方法であって、
前記転写フィルム（１）は、キャリアプライ（１０，１０’）と、前記キャリアプライ（１０，１０’）に配置され、少なくとも１つの装飾エレメント（４）を含む転写プライ（１３，１３’，１３’’）と、を含み、
前記方法は、
ａ）前記キャリアプライ（１０，１０’）の反対側に面する前記転写プライ（１３，１３’，１３’’）の少なくとも１つの面に基材（Ｓ）を接合するステップと、
ｂ）前記基材（Ｓ）に接合された前記転写プライ（１３，１３’，１３’’）から前記キャリアプライ（１０，１０’）を取り除くステップと、
ｃ）前記基材（Ｓ）の反対側に面する前記転写プライ（１３，１３’，１３’’）の面に少なくとも１つの保護層（２０）を適用するステップと、
を含み、
前記キャリアプライ（１０，１０’）に隣接する前記転写プライ（１３，１３’，１３’’）は、少なくとも所定の領域において未だ完全に硬化しておらずかつ前記基材（Ｓ）の反対側に面する前記転写プライ（１３，１３’，１３’’）の前記面を少なくとも部分的に形成する少なくとも１つの上部層（１５）を有し、
前記少なくとも１つの装飾エレメントは、前記キャリアプライ（１０，１０’）の反対側となる、前記転写プライ（１３，１３’，１３’’）の前記少なくとも１つの上部層（１５）の側に配置され、
前記ｃ）における、前記転写プライ（１３，１３’，１３’’）の前記面に前記少なくとも１つの保護層（２０）を適用するステップは、少なくとも１つの溶剤を含む、ポリウレタン含有組成物による前記少なくとも１つの上部層（１５）の少なくとも部分的なフラッディング及び／又はダウシング及びその後の、好ましくは２５℃〜１８０℃の温度での硬化によって行われる、ことを特徴とする方法。
【請求項１１】
前記少なくとも１つの溶剤を含む、ポリウレタン含有組成物は、ポリウレタン含有分散液、ポリウレタン含有樹脂、ポリウレタン溶液、ポリウレタン前駆体を含む組成物(２Ｃ  ＰＵＲ系)及びこれらの混合物からなる群から選択される、ことを特徴とする請求項１０に記載の方法。
【請求項１２】
前記ｃ）における前記転写プライ（１３，１３’，１３’’）の前記面に前記少なくとも１つの保護層（２０）を適用するステップは、オープンフラッディング、鋳造金型におけるフラッディング又は２Ｃ金型におけるフラッディングにより行われる、ことを特徴とする請求項１０又は１１に記載の方法。
【請求項１３】
前記ｃ）における前記少なくとも１つの保護層（２０）の適用前及び／又は適用中及び／又は適用後、前記少なくとも１つの保護層（２０）は、ステップｂ）の後、好ましくは前記少なくとも１つの上部層（１５）内／上に粒子を配置することにより、及び／又はステップｃ）における適用中に金型構造の使用により、及び／又は前記少なくとも１つの保護層（２０）のレーザー加工、オーバープリント及び／又は少なくともオーバスタンプにより変更され、かつ／又は構造化される、ことを特徴とする請求項１０〜１２のいずれかに記載の方法。
【請求項１４】
前記ａ）における、前記キャリアプライ（１０，１０’）の反対側に面する前記転写プライ（１３，１３’，１３’’）の少なくとも１つの面に基材（Ｓ）を接合するステップは、紙、プラスチック、木、複合材料、ガラス、金属及びこれらの組み合わせからなる群から選択される基材（Ｓ）の少なくとも１つの面に対する接着、ホットスタンピング、ラミネーション又はこれらの組み合わせによって行われる、ことを特徴とする請求項１０〜１３のいずれかに記載の方法。
【請求項１５】
前記ａ）における、前記キャリアプライ（１０，１０’）の反対側に面する前記転写プライ（１３，１３’，１３’’）の少なくとも１つの面に基材（Ｓ）を接合するステップの間、反対側に面する前記転写プライ（１３，１３’，１３’’）の面は、少なくとも１つのプラスチック射出成形組成物により少なくとも部分的に覆われ、
前記転写フィルム（１）は、少なくとも１つの射出成形金型に配置され、当該少なくとも１つの射出成形金型は、少なくとも１つのプラスチック射出成形組成物で充填され、
前記プラスチック射出成形組成物は、熱可塑性物質、熱硬化性プラスチック又はこれらの混合物を含む、ことを特徴とする請求項１０〜１４のいずれかに記載の方法。
【請求項１６】
基材（Ｓ）と、少なくとも１つの装飾エレメントを含み、少なくとも部分的に前記基材（Ｓ）の少なくとも１つの面上に配置された少なくとも１つの転写プライ（１３，１３’，１３’’）と、を有するフィルムコーティングされた物品（２）であって、
前記基材（Ｓ）の反対側となる前記転写プライ（１３，１３’，１３’’）の側は、少なくとも１つの上部層（１５）により形成され、当該上部層（１５）には、ポリウレタンをベースとした少なくとも１つのプラスチックを含み、かつ０．２ｍｍ〜５ｍｍの層厚を有する少なくとも１つの保護層（２０）が配置され、
前記少なくとも１つの保護層（２０）は、ＤＩＮ  ＥＮ  ＩＳＯ４６２４：２０１６−０８に記載された方法により求めた、２．５ＭＰａ〜１０ＭＰａ、好ましくは２．５ＭＰａ〜５ＭＰａの接着性で前記少なくとも１つの上部層（１５）に接着され、
好ましくは、前記基材（Ｓ）は、紙、プラスチック、木、複合材料、ガラス、金属及びこれらの組み合わせからなる群から選択される、ことを特徴とするフィルムコーティングされた物品。
【手続補正２】
【補正対象書類名】明細書
【補正対象項目名】００３５
【補正方法】変更
【補正の内容】
【００３５】
さらに好ましくは、少なくとも１つの装飾層は、それぞれ互いに独立して、０．１μｍ〜１５μｍ、さらに好ましくは４μｍ〜８μｍの層厚を有する。
【手続補正３】
【補正対象書類名】明細書
【補正対象項目名】０２１２
【補正方法】変更
【補正の内容】
【０２１２】
少なくとも１つの装飾層１４の層厚は、さらに好ましくは、それぞれ互いに独立して、０．１μｍ〜１５μｍ、さらに好ましくは４μｍ〜８μｍである。